(57)【要約】【課題】  チャンネルサーチ時間を従来に比して一層短縮できる放送チャンネル検出装置を提供する。【解決手段】  受信レベルが予め定めた閾値（ＴＨ）より大か小かを判定するレベル判定手段２１と、その受信レベルが閾値（ＴＨ）よりも大であると判定されたときフレーム同期が完了したか否かをさらに判定する同期判定手段（２２）と、その受信レベルが閾値（ＴＨ）よりも小、または、上記のフレーム同期が完了しないと判定されたときに、サーチ未了のチャンネルに移行して放送チャンネルの検出を続行するチャンネルサーチ手段（２３）と、を備える。【選択図】      図１
2006013689.tif 000002
【特許請求の範囲】
【請求項１】
デジタル放送受信機に協働してチャンネルサーチを行うための放送チャンネル検出装置であって、
放送波の受信信号が有する受信レベルが、予め定めた閾値より大か小かを判定するレベル判定手段と、
前記受信レベルが前記閾値よりも大であると判定されたとき、当該受信信号について実行されたフレーム同期が完了したか否かをさらに判定する同期判定手段と、
前記レベル判定手段により前記受信レベルが前記閾値よりも小であると判定されたとき、または、前記同期判定手段によりフレーム同期が完了しないと判定されたときに、サーチ未了のチャンネルに移行して放送チャンネルの検出を続行するチャンネルサーチ手段と、
を備えることを特徴とする放送チャンネル検出装置。
【請求項２】
前記デジタル放送受信機が複数のブランチからなるダイバーシチ構成であるとき、前記レベル判定手段および前記同期判定手段は、各前記ブランチ単位で、それぞれの判定を行い、各該ブランチ単位で前記チャンネルサーチ手段を備えることを特徴とする請求項１に記載の放送チャンネル検出装置。
【請求項３】
前記デジタル放送受信機が非ダイバーシチ構成の単一ブランチからなり、該単一のブランチに対して一組の前記レベル判定手段、前記同期判定手段および前記チャンネルサーチ手段を備えることを特徴とする請求項１に記載の放送チャンネル検出装置。
【請求項４】
前記チャンネルサーチ手段により、存在しうる全てのチャンネルをサーチし終えるまでに、当該一連のチャンネルサーチにおいて前記同期判定手段の判定結果により放送ありとされたチャンネル番号を保存するチャンネル番号一覧メモリを有することを特徴とする請求項２または３に記載の放送チャンネル検出装置。
【請求項５】
前記チャンネルサーチ手段により、存在しうる全てのチャンネルをサーチし終えるまでに、当該一連のチャンネルサーチにおいて前記同期判定手段の判定結果により放送ありとされたチャンネル番号対応に、前記フレーム同期後の受信信号を復調・デコード処理して得た放送局名、番組名等の放送情報を保存する放送情報一覧メモリを有することを特徴とする請求項２または３に記載の放送チャンネル検出装置。
【請求項６】
前記チャンネル番号一覧メモリの内容を表示してその中から所望の１つを選択させるチャンネル選択手段を有し、該選択されたチャンネルについて、前記フレーム同期後の受信信号を復調・デコード処理して得た映像／音声を前記デジタル放送受信機よりユーザーに提供することを特徴とする請求項４に記載の放送チャンネル検出装置。
【請求項７】
前記放送情報一覧メモリの内容を表示してその中から所望の１つを選択させる放送選択手段を有し、該選択された放送について、前記フレーム同期後の受信信号を復調・デコード処理して得た映像／音声を前記デジタル放送受信機よりユーザーに提供することを特徴とする請求項５に記載の放送チャンネル検出装置。
【請求項８】
前記同期判定手段により最初にフレーム同期が完了したと判定された１の前記ブランチについては当該チャンネルの映像／音声を前記デジタル放送受信機よりユーザーに提供しつつ、残余の前記ブランチについては前記チャンネルサーチ手段により前記サーチ未了のチャンネルに対するサーチを継続することを特徴とする請求項２に記載の放送チャンネル検出装置。
【請求項９】
前記単一ブランチにおいて前記同期判定手段により最初にフレーム同期が完了したと判定されたとき、当該チャンネルの映像／音声を前記デジタル放送受信機よりユーザーに提供して、前記チャンネルサーチ手段による前記サーチ未了のチャンネルに対するサーチを中止することを特徴とする請求項３に記載の放送チャンネル検出装置。
【請求項１０】
前記映像／音声を前記デジタル放送受信機よりユーザーに提供して、当該チャンネルのままでよいか、他に前記フレーム同期が完了したチャンネルがあるときに該チャンネルに移行すべきかを指定させる移行指定手段を有することを特徴とする請求項８に記載の放送チャンネル検出装置。
【請求項１１】
前記映像／音声を前記デジタル放送受信機よりユーザーに提供し、前記サーチを中止して当該チャンネルのままとするか、前記サーチ未了のチャンネルに対するサーチに移行するかを指定させる移行指定手段を有することを特徴とする請求項９に記載の放送チャンネル検出装置。
【請求項１２】
前記同期判定手段の判定結果により放送ありとされた全てのチャンネルの各々について、前記フレーム同期後の受信信号を復調・デコード処理して得た映像をそれぞれ静止画として一旦保存する画像メモリを有し、該画像メモリからの一連の該静止画をサムネイル表示形式で前記デジタル放送受信機よりユーザーに提供してその中の１つを選択させる放送選択手段を有することを特徴とする請求項５に記載の放送チャンネル検出装置。
【請求項１３】
前記デジタル放送受信機はオートプリセット部を備え、該オートプリセット部に対し、前記放送情報一覧メモリに格納した情報のうちの前記チャンネル番号および前記放送局名の内容をセットすることを特徴とする請求項５に記載の放送チャンネル検出装置。
【発明の詳細な説明】
【技術分野】
【０００１】
本発明は、放送受信機例えばデジタル放送受信機に協働して、規定の複数のチャンネルの中から、実際に放送を提供しているチャンネルすなわち放送チャンネルをサーチして検出するための、放送チャンネル検出装置に関する。
【背景技術】
【０００２】
放送チャンネル検出装置は、多数のチャンネルを順次サーチしながら、その中の上記放送チャンネルを検出していく、いわゆる「チャンネルサーチ」や、地域毎に受信可能な複数の放送局のチャンネルを予め記憶して、後で簡単な選択操作で希望の放送局を受信できるようにする「オートプリセット」を実行するため等に不可欠な装置である。特に、例えば地上デジタル放送受信機や衛星デジタル放送受信機のように、例えば５０チャンネルといったきわめて多数の規定のチャンネルの中から迅速に放送チャンネルのみを捕捉する必要があるデジタル放送受信機において、上記放送チャンネル検出装置は重要な役割を果たす。
【０００３】
この放送チャンネル検出装置を構成する従来の基本的要素としては、
ａ）チューナー選局部と、
ｂ）モード／ガード・サーチ部と、
ｃ）ＯＦＤＭフレーム同期部と、
がある。
【０００４】
上記ａ）のチューナー選局部は、規定の複数のチャンネルを１つ１つ個別に受信するための回路部分であり、いわゆる高周波増幅部、周波数変換部、フィルタ等からなるフロントエンドである。
【０００５】
上記ｂ）のモード／ガード・サーチ部は、デジタル放送受信機を構成するのに好適なＯＦＤＭ（Orthogonal Frequency Division Multiplexing）受信方式で受信したフレーム信号を入力として、（ｉ）上記の「モード」すなわちモード１、モード２、モード３といった各種伝送モードのうちのいずれのモードで上記フレーム信号を受信したかをサーチし、また、（ii）上記の「ガード」は、いわゆる有効シンボルとこれに隣接する有効シンボルとの間の干渉を防ぐためのいわゆるガードインターバルの出現位相をサーチするための回路部分である。
【０００６】
上記ｃ）のＯＦＤＭフレーム同期部は、上記ＯＦＤＭ受信機内のＯＦＤＭ復調部を構成する１つの重要な回路部分であって、選択したチャンネルにおける受信信号についてそのフレーム同期が確立すれば、この受信信号はいずれかの放送波による受信信号であることが確認される。この確認の後、その受信信号を時間軸上の信号から周波数軸上の信号に変換するＦＦＴ（Fast Fourier Transformer）を経て、ＯＦＤＭ復調回路にてＯＦＤＭ復調が行われる。さらに、ＭＰＥＧ（Moving Picture Experts Group）デコーダによる複合処理と、さらには映像／音声再生処理とを行って、映像（ＴＶ）情報ならびに音声情報をユーザーに提供する。
【０００７】
本発明が対象とする上記放送チャンネル検出装置は、例えば上記の「チャンネルサーチ」等に利用されるものであるから、放送チャンネルを高速に見つけ出すことが肝要である。もしこのサーチが迅速に行われないとすると、ユーザーに不快感を与えてしまう。
【０００８】
なお、本発明に関連する公知文献としては、例えば下記の〔特許文献１〕〜〔特許文献４〕がある。
【０００９】
〔特許文献１〕は、ＩＦ信号レベルが基準をこえた時にヌルシンボルの有無を検出するものであり、
〔特許文献２〕は、最小レベルを検出したタイミングでヌルシンボル期間を検出する、といったフレーム同期に係わるものであり、
〔特許文献３〕はヌルシンボルレベルの検出によって再生同期を行うものであり、
〔特許文献４〕はＣＡＴＶでの地上波デジタル受信時に、チャンネルの信号レベルが一定値をこえた場合に同期引き込みの可否をチェックするというものである。
【００１０】
【特許文献１】特開平１１−３０８１９１号公報
【特許文献２】特許第３３４２９６７号明細書
【特許文献３】特開平２００１−１８６１０１号公報
【特許文献４】特許第３３３８８１０号明細書
【発明の開示】
【発明が解決しようとする課題】
【００１１】
上述のとおり、放送チャンネル検出装置においては、多数のチャンネルの中から高速に放送チャンネルを捕捉していく必要がある。そこで上述した構成要素ａ）、ｂ）およびｃ）の各々において要する「チャンネルサーチ時間」を調べてみると、次のようになる。ただし推定時間で示す。
【００１２】
ａ）チューナー選局時間は、「５０ｍｓ」である。ただし、チューナーのＰＬＬ同期時の場合である。
【００１３】
ｂ）モード／ガード・サーチ時間は、「１００ｍｓ」である。ただし、規定の１２通りにおける全モード／ガード・サーチ時間である。なお、ＯＦＤＭ方式における上記フレーム信号長のうちの１／４が上記ガードインターバルとなる。また、上記モード３のもとでのフレーム信号長が最も長く、モード２のもとではその１／２長、モード１のもとではモード３のときの１／４長となる。
【００１４】
ｃ）ＯＦＤＭフレーム同期の確立時間は、「２０５〜４１１ｍｓ」である。これは１フレーム〜２フレームの期間である。２フレーム、すなわちフレーム同期を２回検出するのは、次の理由による。
【００１５】
まず１フレームで良い場合は、受信信号の入力開始後に丁度フレームの先頭が到来したような場合である。しかし受信信号の入力開始の直前に既にフレームの先頭が過ぎてしまったようなときには、次のフレームの先頭が来るのを待ってフレーム同期検出動作を開始しなければならない。上記の２フレームを要するのは、この場合である。
【００１６】
また上記ｃ）の「２０５〜４１１ｍｓ」は、前記の「モード３」の場合で１／４長のガードインターバルを有する最長のフレームであるときについて得た数値である。すなわち上記の２０５ｍｓは、２０４シンボル×１．２５ｍｓ＝２０５ｍｓとして得られる数値である。
【００１７】
結局、上記チューナー選局時間（＝５０ｍｓ）と、上記モード／ガード・サーチ時間（＝１００ｍｓ）と、上記ＯＦＤＭフレーム同期確立時間（＝２０５〜４１１ｍｓ）とを合計した放送チャンネルの総サーチ時間は、「３５５〜５６１ｍｓ」となる。したがってその平均時間は「４５８ｍｓ」である。これは約０．５秒であり、例えば５０チャンネルが存在したとすると、全チャンネルサーチが完了するのに要する時間は最低でも２５秒ときわめて長いものになってしまう。これが問題である。
【００１８】
したがって本発明は、上記問題点に鑑み、従来よりも一層高速のチャンネルサーチを可能とする放送チャンネル検出装置を提供することを目的とするものである。
【課題を解決するための手段】
【００１９】
図１は本発明に係る放送チャンネル検出装置の基本構成図である。
【００２０】
本図において、左端の参照番号１０は一般的なデジタル放送受信機を表し、その概略構成は、無線チャンネルを受信するアンテナ１１と、受信可能な多数のチャンネルの中から所望の１つのチャンネル（放送）を選択するチャンネル選択手段１２と、選択されたチャンネルの受信信号についてフレーム同期をとるフレーム同期部１３と、そのフレーム同期後の受信信号（放送信号）に対して復調ならびにデコードを行う復調・デコード部１４と、かくして再生された映像情報および音声情報をユーザーに視聴させるディスプレイＤＩＳＰおよびスピーカＳＰと、からなる。なお上記の復調・デコード部１４としては、デジタル放送受信機に通常用いられる前述のＯＦＤＭ復調回路１５およびＭＰＥＧデコーダ１６により表す。
【００２１】
本発明は、このようなデジタル放送受信機１０に協働してチャンネルサーチを行うための放送チャンネル検出装置（図１の左端に参照番号２０で表す）に関するものである。この放送チャンネル検出装置２０は、本発明によると、少なくとも、レベル判定手段２１と、同期判定手段２２と、チャンネルサーチ手段２３と、を備えて構成される。なお図１においては、理解しやすいように放送チャンネル検出装置２０をデジタル放送受信機１０から切り離して記載しているが、実際にはこれらは一体に構成される。
【００２２】
ここで上記手段２１，２２および２３についてそれぞれの機能を明らかにすると、
レベル判定手段２１は、放送波の受信信号が有する受信レベルが予め定めた閾値ＴＨより大か（＜）小か（＞）を判定するものであり、
同期判定手段２２は、その受信レベルがその閾値ＴＨよりも大である（ＴＨ＜）と判定されたときのみ、当該受信信号についてフレーム同期部１３により実行されたフレーム同期が完了（「了」）したか否か（「未了」）をさらに判定するものであり、
チャンネルサーチ手段２３は、レベル判定手段２１により受信レベルが閾値ＴＨよりも小である（ＴＨ＞）と判定されたとき、または、同期判定手段２２によりフレーム同期が完了しない（「未了」）と判定されたときに、チャンネル選択手段１２に作用して、サーチ未了のチャンネルに移行して放送チャンネルの検出を続行するものである。
【００２３】
放送チャンネル検出装置２０はさらに好ましくは、図１に示すチャンネル番号一覧メモリ３１や放送情報一覧メモリ３２も有する。
【００２４】
チャンネル番号一覧メモリ３１は、上記のチャンネルサーチ手段２３により、存在しうる全てのチャンネルをサーチし終えるまでに、当該一連のチャンネルサーチにおいて同期判定手段２２の判定結果により放送ありとされた全てのチャンネル番号を保存するものである。
【００２５】
また放送情報一覧メモリ３２は、チャンネルサーチ手段２３により、存在しうる全てのチャンネルをサーチし終えるまでに、当該一連のチャンネルサーチにおいて同期判定手段２２の判定結果により放送ありとされた全てのチャンネル番号対応に、前述したフレーム同期後の受信信号（放送信号）を、復調・デコード部１４にて復調・デコード処理して得た放送局名、番組名等の放送情報を保存するものである。
【発明の効果】
【００２６】
従来は例えば５０チャンネルが存在したとすると、実際にその中の半数以下程度のチャンネルでしか放送が行われていないにも拘らず、全てのチャンネルについて１つ１つ放送の有無を調べていた。しかも放送の有無を調べるためには、前述したフレーム同期の確立を見届ける必要があるから最長４００ms程度の時間を費やしていた。
【００２７】
これに対し本発明はある事実に着目して、上記のフレーム同期の確立を１つ１つ見届ける必要性を極力回避し、チャンネルサーチの高速化を図るものである。ここに上記のある事実とは、各チャンネルについてその受信レベルを調べれば、フレーム同期の確立まで見届けるまでもなく、放送の有無をおおよそ見当づけることができる、ということである。
【００２８】
そのために、レベル判定手段２１を導入して、所定の閾値ＴＨを超えない受信レベルを有するチャンネルについては放送はあり得ないと推定し、その後のフレーム同期処理は省略する。これにより全チャンネルの総サーチ時間を大幅に短縮することができる。
【００２９】
この場合、所定の閾値ＴＨを超える受信レベルを有するチャンネルであっても、実際の放送によるものではないこともあり得る。そのような場合には、同期判定手段２２による判定結果は、「未了」となり、レベル判定結果が“ＴＨ＞”のときと同様、チャンネルサーチ手段２３によりチャンネル選択手段１２を起動して、まだサーチし終えていないチャンネルへと移行する。
【００３０】
この結果、チャンネル番号一覧メモリ３１に格納すべきデータもまた、従来に比べて一層高速に収集可能となる。このことは、放送局名や番組名等のデータまでも格納する放送情報一覧メモリ３２についても同様である。
【００３１】
なお上述したチャンネルサーチの高速化は、デジタル放送受信機１０が複数ブランチからなるダイバーシチ構成であるとき（後述）、一層顕著になる。複数チャンネルに対するサーチを、複数ブランチの各々がそれぞれ対応するチャンネルを担当するようにして全ブランチ同時に実行すれば、複数チャンネル単位で一括して次々とサーチチャンネルの移行を行うことができるからである。
【００３２】
さらにまた、ユーザーは従来よりも短時間のうちに好みの放送を視聴することができる。加えて、上記のダイバーシチ構成をとるならば、チャンネルサーチ中でありながら、好みの放送があればそのブランチにて早速視聴を開始しつつ、そのブランチ以外のブランチにおいては引き続きサーチ未了のチャンネルに対するサーチを継続する、といったこともできる。
【発明を実施するための最良の形態】
【００３３】
図２は本発明の実際の一構成例を単一ブランチ構成の受信機について示す図である。なお全図を通じて同様の構成要素には、同一の参照番号または記号を付して示す。
【００３４】
本図のデジタル放送受信機１０は、単一ブランチからなる非ダイバーシチ構成であって、アンテナ１１からの受信信号に対するチューナー（図１のチャンネル選択手段１２）をなす周波数変換部（ＲＦ／ＩＦ）４１と、その受信信号の受信レベルを検出するレベル検出部４２と、前述したフレーム同期部１３と、該フレーム同期部１３を経た放送信号に対して高速フーリエ変換処理を加え、該放送信号を時間軸上の信号から周波数軸上の信号へと変換して次段のＯＦＤＭ復調回路１５に渡すＦＦＴ部４３と、からなる。なおＯＦＤＭ復調回路１５より後段は、図１の構成と同様であるから記載を省略する。
【００３５】
一方図２の下段側には本発明に係る放送チャンネル検出装置２０が示されているが、本図の例によれば、前述したレベル判定手段２１と、同期判定手段２２と、チャンネルサーチ手段２３とが、マイコン４４として形成されている。すなわち、これらの手段２１，２２および２３は、マイコン４４によるソフトウェア処理によって実現される。
【００３６】
また図１に示したチャンネル番号一覧メモリ３１および放送情報一覧メモリ３２は、図２においてマイコン４４と連携するメモリ部４５内の所定のエリアにそれぞれ形成される。
【００３７】
結局、図２の例においては、デジタル放送受信機１０が非ダイバーシチ構成の単一ブランチからなり、この単一のブランチに対して一組のレベル判定手段２１、同期判定手段２２およびチャンネルサーチ手段２３を備えている。
【００３８】
図３は本発明の実際の一構成例をダイバーシチ構成の受信機について示す図である。
【００３９】
本図のデジタル放送受信機１０は、複数のブランチＢ１，Ｂ２…Ｂｎからなる例えば周波数分割型のダイバーシチ構成であって、これらのブランチ（Ｂ１，Ｂ２…Ｂｎ）の各々は、図２とほぼ同様の構成を有する。すなわち、アンテナ１１と、図１のチャンネル選択手段１２をなす周波数変換部（ＲＦ／ＩＦ）４１と、アンテナ１１からの受信信号の受信レベルを検出するレベル検出部４２と、前述したフレーム同期部１３と、該フレーム同期部１３を経た放送信号に対して高速フーリエ変換処理を加え、該放送信号を時間軸上の信号から周波数軸上の信号へと変換して次段のＯＦＤＭ復調回路１５に渡すＦＦＴ部４３と、からなる。なおＯＦＤＭ復調回路１５より後段は、図１の構成と同様であるから記載を省略する。
【００４０】
したがって図２と相違するのは、ダイバーシチ部４６が挿入されていることである。このダイバーシチ部４６は、周知のとおり、受信レベルの高いブランチからの受信信号程、より大きい重み付け係数を与えるようにして全ブランチ分の受信信号を合成した後、次段のＯＦＤＭ復調回路１５に供給する。
【００４１】
一方、図３の下段側には本発明に係る放送チャンネル検出装置２０が示されているが、本図の例も図２と同様に、前述したレベル判定手段２１と、同期判定手段２２と、チャンネルサーチ手段２３とが、マイコン４４として形成されており、これらの手段２１，２２および２３は、マイコン４４によるソフトウェア処理によって実現される。
【００４２】
ただし図３におけるマイコン４４は、ブランチＢ１，Ｂ２…Ｂｎからのそれぞれのレベル検出信号（「レベル情報」）と、それぞれの同期状態信号（「同期情報」）とを一括して入力とするものであり、したがって、レベル判定手段２１は各該ブランチ対応に存在する。同様に、同期判定手段２２もチャンネルサーチ手段２３もそれぞれ各該ブランチ対応に存在し、該チャンネルサーチ手段２３の各出力は、対応するブランチの周波数変換部４１に転送される。その他のメモリ部４５については、図２において説明したとおりである。
【００４３】
結局、デジタル放送受信機１０が複数のブランチからなるダイバーシチ構成であるとき、レベル判定手段２１および同期判定手段２２は、各ブランチ単位で、それぞれの判定を行い、各ブランチ単位でチャンネルサーチ手段２３を備えている。
【００４４】
上記図２および図３について補足すると、図２に示す構成は、例えばホーム用のデジタル放送受信機に適用することができ、一方、上記図３に示す構成は、例えば受信環境の変化を伴いやすい車載用のデジタル放送受信機に適用することができる。このように本発明に係る放送検出装置２０は、上記ホーム用にも車載用にも区別なく応用することができる。以下、本発明に係る放送検出装置２０の発展形態として、いくつかの実施態様を説明する。
【００４５】
図４は本発明に係る放送検出装置のさらなる発展形態を示す図である。
〔実施態様１〕
本実施態様１は、図４の中に示すチャンネル選択手段５１に関するものである。上述したように、高速にチャンネルサーチを実行し終えたあとの結果は、チャンネル番号一覧メモリ３１に納められる。そこで該メモリ３１内のチャンネル番号一覧を例えばディスプレイＤＩＳＰに表示する。するとユーザーはその中から好みのチャンネルを選択することができる。この選択を行うのが上記チャンネル選択手段５１であり、例えばディスプレイＤＩＳＰまわりのキースイッチを押すか、あるいはディスプレイＤＩＳＰ上のＧＵＩ表示に指で触れる、等の操作を行わせる手段である。
【００４６】
このように選択されるべきチャンネルの全てには放送が存在することが確認されているから、ユーザーに対して、フレーム同期部１３によるフレーム同期後の受信信号（放送信号）をＯＦＤＭ復調回路１５やＭＰＥＧデコーダ１６を通して得られる映像／音声を、ディスプレイＤＩＳＰとスピーカＳＰを介して、視聴させることができる。
【００４７】
以上のとおり本実施態様１においては、チャンネル番号一覧メモリ３１の内容をディスプレイに表示してその中から所望の１つを選択させるチャンネル選択手段５１を有し、選択されたチャンネルについて、フレーム同期後の受信信号を復調・デコード処理（１４）して得た映像／音声を、デジタル放送受信機１０よりユーザーに提供するようにするものである。
〔実施態様２〕
本実施態様は、図４の中に示す放送選択手段５２に関するものである。上述したように高速にチャンネルサーチを実行し終え、かつＭＰＥＧデコーダ１６を通して得られた結果は、放送情報一覧メモリ３２に納められる。そこで該メモリ３２内の放送局名や番組名等の一覧を例えばディスプレイＤＩＳＰに表示する。するとユーザーはその中から好みの放送局や番組を選択することができる。この選択を行うのが上記放送選択手段５２であり、上記実施態様２と同様、例えばディスプレイＤＩＳＰまわりのキースイッチを押すか、あるいはディスプレイＤＩＳＰ上のＧＵＩ表示に指で触れる、等の操作を行わせる手段である。
【００４８】
かくしてユーザーに対し、フレーム同期部１３によるフレーム同期後の当該放送信号をＯＦＤＭ復調回路１５やＭＰＥＧデコーダ１６を通して得られる映像／音声を、ディスプレイＤＩＳＰとスピーカＳＰを介して、視聴させることができる。
【００４９】
以上のとおり本実施態様２においては、放送情報一覧メモリ３２の内容をディスプレイに表示してその中から所望の１つを選択させる放送選択手段５２を有し、選択された放送について、フレーム同期後の受信信号を復調・デコード処理（１４）して得た映像／音声をデジタル放送受信機１０よりユーザーに提供するようにするものである。
〔実施態様３〕
本実施態様３は、上記図３におけるチャンネルサーチ手段２３に特徴を見出すことができる。これは複数ブランチ（Ｂ１，Ｂ２…Ｂｎ）からなるダイバーシチ構成の利点を活かしたものである。上記の実施態様１および２と同様に、ユーザーに映像／音声を提供するものではあるが、本実施態様３の場合は、全てのチャンネルサーチを終えたときにユーザーに映像／音声を提供するのではなく、最初に放送ありと判定されたチャンネルを見つけたときに即座にその映像／音声をユーザーに提供するようにする。そうすると、当該チャンネルを選択中のブランチのみがＯＦＤＭ復調回路１５とＭＰＥＧデコーダ１６とを占有してしまうことになるが、チャンネルサーチの実行自体にはこれらＯＦＤＭ復調回路１５とＭＰＥＧデコーダ１６とを必須としないことから、その選択中のブランチ（放送中のブランチ）以外の他のブランチについては引き続きチャンネルサーチを継続することができ、ユーザーに放送を提供しつつ同時に残る全チャンネルのサーチを続行可能という利点が得られる。ただし、上記選択中のブランチからの放送にはダイバーシチ効果が働かないから、画質等は残る全チャンネルのサーチが完了するまでの間劣化するおそれがある。しかし劣化しているのは、そのサーチが完了する高々数１０秒の間だけである。したがってその間はディスプレイＤＩＳＰ上に、例えば「只今チャンネルサーチ中」といった表示を行ってユーザーにしばらく待ってもらうようにしてもよい。
【００５０】
以上のとおり本実施態様３においては、同期判定手段２２により最初にフレーム同期が完了したと判定された１つのブランチについては当該チャンネルの映像／音声をデジタル放送受信機１０よりユーザーに提供しつつ、残余のブランチについてはチャンネルサーチ手段２３によりサーチ未了のチャンネルに対するサーチを継続するようにするものである。
〔実施態様４〕
上記の実施態様３は、あるブランチにてユーザーに映像／音声を提供しながら、残る他のブランチにてチャンネルサーチを同時に続行するというものであるから、図３のダイバーシチ構成のもとでのみ実施可能である。つまり、図２の非ダイバーシチ構成では上記のようなことはできない。
【００５１】
かくして本実施態様４においては、同期判定手段２２により最初にフレーム同期が完了したと判定されたとき、当該チャンネルの映像／音声をデジタル放送受信機１０よりユーザーに提供して、チャンネルサーチ手段２３によるサーチ未了のチャンネルに対するサーチを中止するようにする。
〔実施態様５〕
本実施態様５は、図４の中に示す移行指定手段５３に関するものである。上記実施態様３を再び参照すると、本態様３ではとにかく最初に放送ありとされたチャンネルを選択し、該放送をユーザーに提供するものであった。
【００５２】
しかしユーザーにとってその最初の放送が好みではなかったような場合、ユーザーにさらなる選択の可能性を与えるのが望ましい。そこで、上記実施態様３では最初の放送のチャンネル（ブランチ）を選択しつつ、残りのブランチについてチャンネルサーチを継続していることに鑑み、その継続中に捕捉したチャンネルの放送も上記移行指定手段５３、例えばキースイッチにより選択できるようにするか、あるいは最初の放送のままとする。
【００５３】
かくして本実施態様５では、映像／音声をデジタル放送受信機１０よりユーザーに提供して、（ｉ）当該チャンネルのままでよいか、（ii）他にフレーム同期が完了したチャンネルがあるときにこのチャンネルに移行すべきか、を指定させる上記移行指定手段５３を設けるようにする。
〔実施態様６〕
本実施態様６も、上記実施態様５の移行指定手段５３に関するものである。上記の実施態様４を再び参照すると、ここでは非ダイバーシチ構成すなわち単一ブランチ構成であるから、上記実施態様５の場合のように次々と放送を選択していくことはできない。つまり、サーチを中止して最初の放送をそのまま視聴するか、その最初の放送はやめて次のチャンネルのサーチを再開するか、のいずれかである。
【００５４】
かくして本実施態様６においては、（ｉ）映像／音声をデジタル放送受信機１０よりユーザーに提供し、サーチを中止して当該チャンネルのままとするか、（ii）サーチ未了のチャンネルに対するサーチに移行するか、を上記の移行指定手段５３によって指定するようにする。
〔実施態様７〕
本実施態様７は、図４の中の前述した放送選択手段５２と同図中に示す画像メモリ５４とに関するものである。これまでの実施態様では、全チャンネルサーチ後、放送中のチャンネルについてチャンネル番号あるいは放送局名／番組名をユーザーに提示するに止まっている。しかし本実施態様７にあっては、復調・デコード部１４を経て得られた映像を、放送ありと判定される都度、ディスプレイ上へ表示することなく静止画として一旦保存しておく。その保存のためのメモリが上記の画像メモリ５４である。
【００５５】
そして全チャンネルのサーチ終了後、その画像メモリ５４に保存された各放送対応の静止画を、ディスプレイＤＩＳＰ上にサムネイル形式（マトリクス状に並べた多数の画像の小片）で表示し、ユーザーにその中から好みの１つを選択させる。ユーザーにとっては実際の画像を見て好みの放送を選択できるから、的確に１つの放送を選定できるという利点がある。
【００５６】
以上のとおり本実施態様７は、同期判定手段２２の判定結果により放送ありとされた全てのチャンネルの各々について、フレーム同期部１３によるフレーム同期後の受信信号（放送信号）を復調・デコード処理（１４）して得た映像をそれぞれ静止画として画像メモリ５４に一旦保存し、この画像メモリ５４からの一連の静止画をサムネイル表示形式でデジタル放送受信機１０のディスプレイＤＩＳＰよりユーザーに提供しその中の１つを、放送選択手段５２により選択させるようにする。
〔実施態様８〕
最初に述べたとおり放送チャンネル検出装置２０は「オートプリセット」を実行するためにも不可欠な装置であり、このオートプリセット部を図４の中で参照番号５５にて示す。このオートプリセット部自体は周知のものであるが、以上述べた本発明の高速チャンネルサーチのもとでは従来に比してより一層短時間のうちにそのオートプリセット動作を完了させることができる。
【００５７】
以上のとおり本実施態様８では、オートプリセット部５５を備えるデジタル放送受信機１０において、そのオートプリセット部５５に対し、放送情報一覧メモリ３２に格納した情報のうちのチャンネル番号および放送局名の内容を高速にセットするようにする。
【産業上の利用可能性】
【００５８】
本発明はデジタル放送受信機に適用でき、高速チャンネルサーチが求められる場合に有益な手段となる。特に複数ブランチのダイバーシチ構成である場合に有益である。
【図面の簡単な説明】
【００５９】
【図１】本発明に係る放送チャンネル検出装置の基本構成図である。
【図２】本発明の一構成例を単一ブランチ構成の受信機について示す図である。
【図３】本発明の一構成例をダイバーシチ構成の受信機について示す図である。
【図４】本発明に係る放送チャンネル検出装置のさらなる発展形態を示す図である。
【符号の説明】
【００６０】
１０…デジタル放送受信機
１２…チャンネル選択手段
１３…フレーム同期部
１４…復調・デコード部
１５…ＯＦＤＭ復調回路
１６…ＭＰＥＧデコーダ
２０…放送チャンネル検出装置
２１…レベル判定手段
２２…同期判定手段
２３…チャンネルサーチ手段
３１…チャンネル番号一覧メモリ
３２…放送情報一覧メモリ
４１…周波数変換部（ＲＦ／ＩＦ）
４２…レベル検出部
４３…ＦＦＴ部
４４…マイコン
４５…メモリ部
４６…ダイバーシチ部
５１…チャンネル選択手段
５２…放送選択手段
５３…移行指定手段
５４…画像メモリ
５５…オートプリセット部
【図１】
2006013689.tif 000003
【図２】
2006013689.tif 000004
【図３】
2006013689.tif 000005
【図４】
2006013689.tif 000006